(57)【特許請求の範囲】
【請求項１】
前壁と、
前記前壁の下部に配置され、前記前壁の前面よりも後方に凹む凹面と、
前記凹面内に配置された表示部と、
前記凹面内に配置された押しボタンスイッチと、
を備え、
前記凹面は、下部から上部に向って次第に後方に傾斜する傾斜面であり、
前記表示部と前記押しボタンスイッチは、前記傾斜面上に配置されて傾斜しており、
前記押しボタンスイッチの被押圧面は、下部から上部に向って次第に後方に傾斜し、
前記被押圧面と前記前面とが成す角度は、前記傾斜面と前記前面とが成す角度よりも大きく、
前記押しボタンスイッチの被押圧面には、前記押しボタンスイッチを識別するための識
別情報が示されている
ことを特徴とする暖房装置。
【請求項２】
押しボタンスイッチの下端部は前壁の前面よりも後方に配置されている
ことを特徴とする請求項１に記載の暖房装置。
【発明の詳細な説明】
【技術分野】
【０００１】
本発明は、暖房装置に関する。
【背景技術】
【０００２】
従来から、暖房装置の操作パネルは、運転開始又は運転停止などを制御部に指示するための操作部や、運転状況や室温等を表示するための表示部を備える。そして、操作パネルは、暖房装置の前面に配置され、暖房装置の前方から操作できるようになっている。
また、輻射式の石油ストーブなどの暖房装置では、赤熱体の熱を前方へ輻射するための開口部が暖房装置の前面に形成されている。よって、このような暖房装置の操作パネルは、前面であって開口部の下側に配置される（下記特許文献１参照）。
【先行技術文献】
【特許文献】
【０００３】
【特許文献１】特開２０１３−１２４７９６号公報
【発明の概要】
【発明が解決しようとする課題】
【０００４】
ここで、操作部が押しボタンスイッチの場合、押しボタンスイッチが操作パネルよりも前方に突出する。また、操作パネルが暖房装置の前面と面一であると、押しボタンスイッチが暖房装置の前面よりも前方に突出する。このため、押しボタンスイッチに引っ掛かり、誤操作されるおそれがある。
【０００５】
そこで、本発明は、前記する背景に鑑みて創案された発明であって、押しボタンスイッチの誤操作を招き難い暖房装置を提供することを課題とする。
【課題を解決するための手段】
【０００６】
前記課題を解決するため、本発明に係る暖房装置は、前壁と、前記前壁の下部に配置され、前記前壁の前面よりも後方に凹む凹面と、前記凹面内に配置された表示部と、前記凹面内に配置された押しボタンスイッチと、を備え、前記凹面は、下部から上部に向って次第に後方に傾斜する傾斜面であり、前記表示部と前記押しボタンスイッチは、前記傾斜面上に配置されて傾斜していることを特徴とする。
【０００７】
前記発明によれば、前壁の前面から押しボタンスイッチが突出する突出量は、凹面の凹み量の分だけ低減する。このため、押しボタンスイッチに引っ掛かり難くなり、誤操作の可能性が低減する。
また、傾斜面内に配置された表示部は、前方（水平方向）ではなく、斜め上方を向く。このため、前面の下部に配置されたとしても、表示部が見易くなる。
同様に、押しボタンスイッチが斜め上方を向くため、押しボタンスイッチの押圧方向が斜め下方となる。このため、操作者は、上方から押しボタンスイッチを押圧し易くなり、操作性が向上する。
【０００８】
また、前記発明において、前記押しボタンスイッチの被押圧面は、下部から上部に向って次第に後方に傾斜し、前記被押圧面と前記前面とが成す角度は、前記傾斜面と前記前面とが成す角度よりも大きいことが好ましい。
【０００９】
前記構成によれば、被押圧面が傾斜面よりも上側を向くため、操作者は上方から押しボタンスイッチを押圧し易くなり、操作性がより向上する。
【００１０】
また、前記発明において、前記押しボタンスイッチの被押圧面には、前記押しボタンスイッチを識別するための識別情報が示されていることが好ましい。
【００１１】
前記構成によれば、凹面（傾斜面）よりも傾斜している被押圧面に識別情報が示されているため、識別情報を傾斜面に示した場合よりも、操作者が識別情報を認識し易く、誤操作を回避できる。
【発明の効果】
【００１２】
本発明によれば、押しボタンスイッチの誤操作を招き難い暖房装置を提供することができる。
【図面の簡単な説明】
【００１３】
【図１】本発明の実施形態に係る暖房装置を示した斜視図である。
【図２】操作パネルとその近傍を拡大した斜視図である。
【図３】操作パネルを上下方向及び前後方向に切った断面図である。
【発明を実施するための形態】
【００１４】
本発明の実施形態について、適宜図面を参照しながら詳細に説明する。
【００１５】
実施形態の暖房装置１は、灯油を燃焼し、その熱を室内に輻射させる輻射式の石油ストーブである。
図１に示すように、暖房装置１は、板状の下皿２と、下皿２の上面に取り付けられ灯油を燃焼する本体装置３と、を備える。
下皿２は、暖房装置１を床面に設置した場合、本体装置３を安定させるとともに、本体装置３から灯油が漏れたときに灯油を受けるための置台である。
【００１６】
本体装置３は、内部に輻射室４を有する箱状の外装パネル５と、輻射室４内に配置された赤熱体（不図示）と、灯油を燃焼して赤熱体を加熱する燃焼部（不図示）と、燃焼部に空気を送る送気装置（不図示）と、各装置の駆動を制御するための制御部と、を備える。
【００１７】
外装パネル５は、前後左右の側壁および上板が形成された金属製の箱体である。
外装パネル５内であって高さ方向の中央部には、上下左右後の金属板により区画された輻射室４が設けられている。
外装パネル５の前壁６の高さ方向の中央部には、輻射室４の前方を解放するための開口部６ａが形成されている。
以上から、赤熱体の熱は、開口部６ａを介して前方に輻射されて室内が温められる。
【００１８】
外装パネル５の前壁６の下部左側には、四角形状の孔部６ｂが形成されている。そして、孔部６ｂ内に操作パネル７が設けられている。
【００１９】
図２に示すように、操作パネル７は、孔部６ｂの縁に沿って延在する環状の枠体１０と、枠体１０内の上側に位置する表示部２０と、枠体１０内であって表示部２０の下方に位置する４つの基本操作部３０と、枠体１０内であって基本操作部３０の下方に設けられた回動基材４０と、回動基材４０上に設けられた応用操作部５０と、を備える。
【００２０】
なお、説明の都合上、４つの基本操作部３０に関し、左側から右側に向って順に第１基本操作部３１、第２基本操作部３２、第３基本操作部３３、第４基本操作部３４と称する。以下、操作パネル７の各構成の基本構成を説明する。
【００２１】
図２、図３に示すように、枠体１０は、四角枠状を呈している。枠体１０は、外周端から内周端に向って後方に延在し、外周端よりも内周端の方が後方に位置している。
このため、枠体１０内に位置する表示部２０と基本操作部３０と回動基材４０のそれぞれは、前壁６の前面６ｃよりも後方に位置している（図３の矢印Ｓを参照）。言い換えると、操作パネル７が前壁６の前面６ｃよりも後方に窪む凹面になっている。
【００２２】
図２に示すように、枠体１０は、上側で左右に延在する上枠部１０ａと、上枠部１０ａの左端から下方に延びる左枠部１０ｄと、左枠部１０ｄの下端から右方に延びる下枠部１０ｃと、下枠部１０ｃの右端と上枠部１０ａの右端とに接続する右枠部１０ｂと、を備える。
【００２３】
図３に示すように、上枠部１０ａは、外周端から内周端に向って後側下方に延びて傾斜している。このため、枠体１０の上部に配置された表示部２０を上方から視認しても（図３の矢印Ａ参照）、上枠部１０ａが遮らないようになっている。
同様に、右枠部１０ｂ、左枠部１０ｄも傾斜しており、表示部２０を左右方向から視認し易くなっている。
なお、上枠部１０ａは、上下方向に比較的長く形成されている。そして、上枠部１０ａの後面にボス部１０ｅが形成されている。
【００２４】
図２に示すように、枠体１０には、右枠部１０ｂと左枠部１０ｄとの間であって高さ方向中間部で左右方向に延在し、基本操作部３０を支持する中間支持部１１が設けられている。
図３に示すように、中間支持部１１には、基本操作部３０を収容するため、前後方向に貫通する貫通孔１１ａが形成されている。また、貫通孔１１ａは、基本操作部３０の数に対応して４つ形成されている（図２参照）。さらに、中間支持部１１の前面には、装飾パネル１１ｂが設けられている。
そのほか、枠体１０には、中間支持部１１の下方で前方に開口し、回動基材４０を収容可能な収容部１２が設けられている。
【００２５】
表示部２０は、情報を表示する液晶パネル２１と、液晶パネル２１の前方に配置され、液晶パネル２１を保護する保護ガラス２２と、を備える。
【００２６】
液晶パネル２１は、上枠部１０ａのボス部１０ｅと中間支持部１１の後面とにねじＮで固定されている。そして、液晶パネル２１の表示部分は、上枠部１０ａの後面と中間支持部との間に形成された上部開口部１３を介して前方から視認可能になっている。
【００２７】
保護ガラス２２は、接着剤等により、上部開口部１３の縁に固定されている。このため、保護ガラス２２が上部開口部１３を閉じ、液晶パネル２１に埃、水等が付着しないようになっている。
また、保護ガラス２２の前面と装飾パネル１１ｂの前面とは、面一に形成されている。
【００２８】
第１基本操作部３１〜第４基本操作部３４のそれぞれは、押しボタンスイッチ式の操作部材であり、貫通孔１１ａ内に配置された基体３５と、基体３５の前部に装着された被覆部材３６と、基体３５を常時前方に付勢する圧縮コイルばね（不図示）と、を備える。
基体３５は、貫通孔１１ａの内周面に支持され、前後方向に摺動自在になっている。
被覆部材３６の前面は、操作者の手指が接触して押圧される操作面３６ａになっている。そして、押圧されていない場合、操作面３６ａが装飾パネル１１ｂよりも前方に突出するようになっている。
一方で、前記したように操作パネル７が前壁６の前面６ｃよりも後方に窪む凹面になっていることから、操作面３６ａは前壁６の前面６ｃよりも後方に位置している。このため、操作面３６ａに引っ掛かり難くなっており、誤操作の可能性の低減化を図れる。
【００２９】
図２に示すように、操作面３６ａは、制御部に対する指示内容（識別情報）が印字されており、操作者は、各ボタンの識別ができるようになっている。
具体的に、第１基本操作部３１は、暖房装置１の運転開始又は運転停止を制御部に指示するための操作部であり、操作面３６ａに「ＯＮ／ＯＦＦ」と印字されている。
第２基本操作部３２は、所定時間経過後に暖房装置１の運転が開始されること又は運転が停止することを予め制御部に指示するための操作部であり、操作面３６ａに「タイマー」と印字されている。
第３基本操作部３３は、運転時の目標温度を上げたり、又はタイマーの所定時間を増やしたりすることを制御部に指示するための操作部であり、操作面３６ａに「▲」と印字されている。
第４基本操作部３４は、運転時の目標温度を下げたり、又はタイマーの所定時間を減らしたりすることを制御部に指示するための操作部であり、操作面３６ａに「▼」と印字されている。
【００３０】
図２に示すように、回動基材４０は、装飾パネル１１ｂの下端近傍から前側下方に延びるとともに応用操作部５０が設けられた第１斜面４１と、第１斜面４１の前端から後側下方に延びる第２斜面４２と、を備える。
また、回動基材４０は、収容部１２の底面に設けられたヒンジ部４３により回動自在に支持されている。そして、回動基材４０を後方へ回動することで（図３の矢印Ｂ参照）、回動基材４０が収容部１２内に収容され、第２斜面４２が表示部２０、装飾パネル１１ｂと面一になる（図３の破線Ｌ４２参照）。
以下、表示部２０の前面、装飾パネル１１ｂの前面、第２斜面４２とから成る平面を操作パネル７のパネル面７Ａと称する。
つぎに、操作パネル７の詳細な構成を説明する。
【００３１】
図３に示すように、枠体１０内のパネル面７Ａは、下部（回動基板４０が収容部１２内に収容された際の第２斜面４２（図３の破線Ｌ４２を参照））から上部（保護ガラス２２）に向って次第に後方に傾斜する傾斜面になっている。
言い換えると、パネル面７Ａ上に配置された表示部２０及び基本操作部３０は、傾斜して前側斜め上方を向いている。パネル面７Ａと垂線Ｌ１とが成す角度θ１は、２°〜８°程度の範囲内が好ましく、本実施形態では３°としている。これによれば、表示部２０の視野角が上側にシフトし、操作者は、目の高さを下げることなく、表示部２０の表示内容を認識することができるようなる。この結果、操作者は、腰を屈めて視線を下げるという動作が不要となり、労力が低減される。
なお、角度θ１を１０°程度まで大きくすると、操作者が、遠くの低い位置から表示部２０を見た場合に、表示内容が認識しづらくなるため、角度θ１は最大でも８°程度に留めることが好ましい。
同様に、各基本操作部３０が斜め上方を向くため、基本操作部３０の移動方向が斜め下方となる。このため、操作者は、上方から基本操作部３０を押圧し易くなり、操作性が向上する。
【００３２】
基本操作部３０の操作面（被押圧面）３６ａは、下部から上部に向って次第に後方に傾斜している。
また、操作面３６ａと垂線Ｌ１とが成す角度θ２は、パネル面７Ａと垂線Ｌ１とが成す角度θ１よりも大きく、角度θ２は１０°〜２０°程度が好ましく、本実施形態では１６°としている。
これにより、操作面３６ａは、パネル面７Ａよりもさらに上側を向くため、表示部２０の認識のし易さを変えることなく、操作者は上方から基本操作部３０を押圧し易くなり、操作性がより向上する。
また、操作面３６ａ上の識別情報は、パネル面７Ａに印字された場合よりもさらに上側を向くため、操作者が識別情報を認識し易くなり、誤操作を回避できる。
【００３３】
以上、実施形態について説明したが、本発明は実施形態で説明した例に限定されない。
例えば、実施形態では、パネル面７Ａ上に基本操作部３０のみが形成されているが、さらに応用操作部５０をパネル面７Ａ上に形成してもよい。
また、識別情報が操作面３６ａ上に示されているが、パネル面７Ａ上に示してもよい。
【符号の説明】
【００３４】
１      暖房装置
５      外装パネル
６      前壁
６ａ    開口部
６ｃ    前面
７      操作パネル
７Ａ    パネル面（傾斜面）
１０    枠体
２０    表示部
３０（３１〜３４）  基本操作部（押しボタンスイッチ）
３６ａ  操作面（被押圧面）
４０    回動基材
５０    応用操作部
【図１】
0006667377.tif 000002
【図２】
0006667377.tif 000003
【図３】
0006667377.tif 000004